(57)【要約】【課題】  視覚に頼ることなく適切に測定を行うことが可能な分析装置を提供すること。【解決手段】  本体２００と、測定時に本体２００から突出した状態となるセンサ片５００が挿通される挿入口２１０と、ｙ方向において挿入口２１０を挟んで離間配置されており、かつそれぞれがｘ方向外方に突出しているとともに、ｚ方向において挿入口２１０と重なる高さを有する１対の突起２２０と、を備える。【選択図】  図１
2012177677.tif 000002
【特許請求の範囲】
【請求項１】
本体と、
測定時に上記本体から突出した状態となるセンサ片を支持するためのセンサ片用開口と、
上記センサ片の突出方向に対して直角である幅方向において上記センサ片用開口を挟んで離間配置されており、かつそれぞれが上記突出方向外方に突出しているとともに、上記突出方向および上記幅方向のいずれに対しても直角である高さ方向において上記センサ片用開口と重なる高さを有する１対の突起と、を備える、分析装置。
【請求項２】
上記センサ片用開口には、上記センサ片が挿入される、請求項１に記載の分析装置。
【請求項３】
上記センサ片用開口に隣接し、かつ上記センサ片用開口から上記突出方向に延出するガイド面を有する、請求項２に記載の分析装置。
【請求項４】
上記センサ片用開口は、上記高さ方向において上記ガイド面が形成されている側に偏った位置に設けられている、請求項３に記載の分析装置。
【請求項５】
上記センサ片用開口に隣接しているとともに上記センサ片用開口を挟んで離間配置されており、かつ上記突出方向において上記センサ片用開口から離間するほど互いに離間する向きに傾斜した１対以上の傾斜面を有する、請求項２に記載の分析装置。
【請求項６】
上記各突起は、高さ方向に膨出する隆起部を有する、請求項２ないし５のいずれかに記載の分析装置。
【請求項７】
上記隆起部は、上記突出方向において上記センサ片用開口よりも外方に位置する、請求項６に記載の分析装置。
【請求項８】
上記１対の突起は、上記幅方向において移動可能である、請求項２ないし７のいずれかに記載の分析装置。
【請求項９】
上記１対の突起は、上記センサ片用開口中央を挟んで対称移動する、請求項８に記載の分析装置。
【請求項１０】
上記センサ片用開口から挿入された上記センサ片に対して、測定を行う測定位置よりも上記突出方向外方にある抵抗付与位置において、抵抗力を付与する抵抗付与手段を備えており、
上記各突起の上記突出方向先端と測定時における上記センサ片の上記突出方向先端との上記突出方向における距離は、上記測定位置と上記抵抗付与位置との距離よりも小である、請求項２ないし９のいずれかに記載の分析装置。
【請求項１１】
上記抵抗付与手段は、上記センサ片に接触する電極、または上記センサ片の存在を検出する検出レバーを含む、請求項１０に記載の分析装置。
【請求項１２】
上記突起の材質は、上記本体のうち上記突起以外の部位の材質よりも柔らかい、請求項２ないし１１のいずれかに記載の分析装置。
【請求項１３】
上記本体に着脱可能とされたアタッチメントを備えており、
上記１対の突起は、上記アタッチメントに形成されている、請求項２ないし１２のいずれかに記載の分析装置。
【請求項１４】
上記アタッチメントは、音声ガイド機能を有する、請求項１３に記載の分析装置。
【発明の詳細な説明】
【技術分野】
【０００１】
本発明は、たとえば血糖値の測定に用いられる分析装置に関する。
【背景技術】
【０００２】
たとえば糖尿病患者が、自ら血糖値を測定するために用いられる分析装置が提案されている。図１８は、従来の分析装置の一例を示している（たとえば特許文献１参照）。同図に示す分析装置９００は、挿入口９０２が形成された本体９０１を有する。挿入口９０２には、センサ片９１０が挿入される。分析装置９００の測定時には、挿入口９０２からセンサ片９１０をｘ方向に突出させた状態で、センサ片９１０に検体としての血液を点着させる。本体９０１には、Ｖ字状のガイド９０３が取り付けられている。ガイド９０３は、センサ片９１０を挿入口９０２へと導くことを目的として設けられている。
【０００３】
たとえば糖尿病患者は、糖尿病網膜症を患うことにより、いわゆる弱視となる可能性が比較的高い。このような弱視の使用者は、分析装置９００の存在はかろうじて認識できるが、その細かい形状などは視認しきれない場合が多い。このため、分析装置９００を持つ手でガイド９０３を模索し、他方の手でセンサ片９１０を挿入しようとしても、挿入口９０２の位置を正確に把握することは困難であった。
【先行技術文献】
【特許文献】
【０００４】
【特許文献１】再表０１／０６１３４１公報
【発明の概要】
【発明が解決しようとする課題】
【０００５】
本発明は、上記した事情のもとで考え出されたものであって、視覚に頼ることなく適切に測定を行うことが可能な分析装置を提供することをその課題とする。
【課題を解決するための手段】
【０００６】
本発明によって提供される分析装置は、本体と、測定時に上記本体から突出した状態となるセンサ片を支持するためのセンサ片用開口と、上記センサ片の突出方向に対して直角である幅方向において上記センサ片用開口を挟んで離間配置されており、かつそれぞれが上記突出方向外方に突出しているとともに、上記突出方向および上記幅方向のいずれに対しても直角である高さ方向において上記センサ片用開口と重なる高さを有する１対の突起と、を備える。
【０００７】
本発明の好ましい実施の形態においては、上記センサ片用開口には、上記センサ片が挿入される。
【０００８】
本発明の好ましい実施の形態においては、上記センサ片用開口に隣接し、かつ上記センサ片用開口から上記突出方向に延出するガイド面を有する。
【０００９】
本発明の好ましい実施の形態においては、上記センサ片用開口は、上記高さ方向において上記ガイド面が形成されている側に偏った位置に設けられている。
【００１０】
本発明の好ましい実施の形態においては、上記センサ片用開口に隣接しているとともに上記センサ片用開口を挟んで離間配置されており、かつ上記突出方向において上記センサ片用開口から離間するほど互いに離間する向きに傾斜した１対以上の傾斜面を有する。
【００１１】
本発明の好ましい実施の形態においては、上記各突起は、高さ方向に膨出する隆起部を有する。
【００１２】
本発明の好ましい実施の形態においては、上記隆起部は、上記突出方向において上記センサ片用開口よりも外方に位置する。
【００１３】
本発明の好ましい実施の形態においては、上記１対の突起は、上記幅方向において移動可能である。
【００１４】
本発明の好ましい実施の形態においては、上記１対の突起は、上記センサ片用開口中央を挟んで対称移動する。
【００１５】
本発明の好ましい実施の形態においては、上記センサ片用開口から挿入された上記センサ片に対して、測定を行う測定位置よりも上記突出方向外方にある抵抗付与位置において、抵抗力を付与する抵抗付与手段を備えており、上記各突起の上記突出方向先端と測定時における上記センサ片の上記突出方向先端との上記突出方向における距離は、上記測定位置と上記抵抗付与位置との距離よりも小である。
【００１６】
本発明の好ましい実施の形態においては、上記抵抗付与手段は、上記センサ片に接触する電極、または上記センサ片の存在を検出する検出レバーを含む。
【００１７】
本発明の好ましい実施の形態においては、上記突起の材質は、上記本体のうち上記突起以外の部位の材質よりも柔らかい。
【００１８】
本発明の好ましい実施の形態においては、上記本体に着脱可能とされたアタッチメントを備えており、上記１対の突起は、上記アタッチメントに形成されている。
【００１９】
本発明の好ましい実施の形態においては、上記アタッチメントは、音声ガイド機能を有する。
【００２０】
このような構成によれば、たとえば使用者が親指と人差し指で上記１対の突起を上記高さ方向において挟むように上記分析装置を保持することができる。このように保持すると、上記センサ片用開口は、使用者の親指および人差し指と上記１対の突起とに囲まれた空間の上記突出方向内方に自然と位置する。これにより、上記センサ片用開口をことさらに視認しなくとも、手探りで上記センサ片用開口に上記センサ片を挿入することが可能である。また、上記センサ片用開口に支持されたセンサ片に対して、使用者が手探りで検体となるたとえば血液を点着させることができる。したがって、視覚に頼ることなく適切に測定を行うことができる。
【００２１】
本発明のその他の特徴および利点は、添付図面を参照して以下に行う詳細な説明によって、より明らかとなろう。
【図面の簡単な説明】
【００２２】
【図１】本発明の第１実施形態に基づく分析装置を示す斜視図である。
【図２】図１の分析装置を示す平面図である。
【図３】図１の分析装置を示す正面図である。
【図４】図３のＩＶ−ＩＶ線に沿う要部断面図である。
【図５】センサ片が抵抗付与位置にある状態を示す要部断面図である。
【図６】センサ片が測定位置にある状態を示す要部断面図である。
【図７】本発明の第２実施形態に基づく分析装置を示す要部断面図である。
【図８】センサ片が抵抗付与位置にある状態を示す要部断面図である。
【図９】センサ片が測定位置にある状態を示す要部断面図である。
【図１０】本発明の第３実施形態に基づく分析装置を示す斜視図である。
【図１１】本発明の第４実施形態に基づく分析装置を示す平面図である。
【図１２】本発明の第５実施形態に基づく分析装置を示す分解斜視図である。
【図１３】図９の分析装置を示す斜視図である。
【図１４】本発明の第６実施形態に基づく分析装置を示す底面図である。
【図１５】本発明の第７実施形態に基づく分析装置を示す分解斜視図である。
【図１６】図１５の分析装置を示す斜視図である。
【図１７】本発明の第８実施形態に基づく分析装置を示す斜視図である。
【図１８】従来の分析装置の一例を示す斜視図である。
【発明を実施するための形態】
【００２３】
以下、本発明の好ましい実施の形態につき、図面を参照して具体的に説明する。
【００２４】
図１〜図６は、本発明の第１実施形態に基づく分析装置を示している。本実施形態の分析装置１０１は、本体２００を有している。本体２００には、挿入口２１０、１対の突起２２０、ガイド面２３１、表示部２４０、電源ボタン２５０が設けられている。分析装置１０１は、たとえば糖尿病患者が自ら血糖値を測定するために用いられるものであり、測定時にはセンサ片５００が取り付けられる。
【００２５】
本体２００は、たとえば樹脂製の箱状部材である。挿入口２１０は、本体２００のｘ方向（本発明でいう突出方向）端面に形成されており、断面形状がｙ方向（本発明でいう幅方向）を長手方向とする長矩形状とされている。挿入口２１０には、帯状のセンサ片５００が挿入される。分析装置１０１の測定時には、挿入口２１０からセンサ片５００が突出した状態とされる。これにより、挿入口２１０は、本発明でいうセンサ片用開口の一例となっている。なお、本実施形態と異なり、センサ片５００を外部から挿入する構成ではなく、本体２００内に収容されたセンサ片５００が本発明でいうセンサ片用開口から突出してくる構成であってもよい。
【００２６】
ガイド面２３１は、挿入口２１０に対してｚ方向（本発明でいう高さ方向）下側に隣接した位置から、ｘ方向外方に延びている。挿入口２１０のｚ方向上側は、ｚ方向に沿って切り立った面とされている。このため、挿入口２０１に対してｚ方向下側にあるガイド面２３１がｘ方向に出っ張った構成となっている。図３および図４に示すように、挿入口２１０は、ｚ方向においてガイド面２３１が設けられた下側に偏った位置に設けられている。
【００２７】
図１〜図３に示すように、１対の突起２２０は、挿入口２１０を挟んでｙ方向において離間配置されている。各突起２２０は、挿入口２１０よりもｘ方向に外方に突出している。各突起２２０は、ｚ方向寸法が本体２００のその他の部位とほぼ同一とされている。これにより、各突起２２０は、ｚ方向において挿入口２１０と重なる高さを有する。本実施形態においては、各突起２２０は、全体として直方体形状とされている。各突起２２０には、隆起部２２１が形成されている。隆起部２２１は、突起２２０のｚ方向上面に形成されており、図４〜図６に示すように、ｚｘ平面における断面形状が扁平な三角山形とされている。隆起部２２１は、挿入口２１０よりもｘ方向外方に位置している。なお、突起２２０は、本体２００の他の部位と一体成型されていてもよいし、突起２２０以外の部位とは異なる材質によって形成したものが接合された構造であってもよい。この場合、突起２２０を比較的やわらかいたとえばシリコーン樹脂によって形成し、本体２００の突起２２０以外の部位を一般的な硬質プラスチックによって形成してもよい。あるいは、突起２２０以外の部分の表面を平滑な性状とする一方、突起２２０の表面を微細な凸凹を有する性状としてもよい。このように表面の性状を異ならせることにより、弱視である使用者であっても、手触りによって突起２２０を速やかに認識することができる。
【００２８】
図１に示すように、表示部２４０は、本体２００のｚ方向上面に設けられている。表示部２４０は、たとえば液晶ディスプレイであり、分析装置１０１の状態表示や、測定結果の表示などに用いられる。電源ボタン２５０は、表示部２４０の近傍に設けられており、分析装置１０１の電源ＯＮ／ＯＦＦ切り替えに用いられる。なお、分析装置１０１の電源は、センサ片５００の挿入によりＯＮとなり、センサ片５００の抜き取りによりＯＦＦとなる構成であってもよい。この場合、電源ボタン２５０は、不要である。
【００２９】
次に、分析装置１０１の使用方法について以下に説明する。
【００３０】
図１に示すように、分析装置１０１を用いてたとえば血糖値を測定する場合、分析装置１０１にセンサ片５００を装填する。センサ片５００は、検体としての血液を点着させる部分、分析装置１０１に導通する電極部分などが作りこまれている。まず、図２および図３に示すように、使用者は、一方の手６００によって分析装置１０１を保持する。このとき、親指６０１と人差し指６０２とで、１対の突起２２０をｚ方向において挟む。親指６０１は、突起２２０の隆起部２２１に対してｘ方向内方から添えておく。このように分析装置１０１を保持することにより、挿入口２１０は、ｚ方向において親指６０１と人差し指６０２との間に位置することとなる。次いで、他方の手６００によってセンサ片５００を保持する。そして、保持したセンサ片５００を、１対の突起２２０および親指６０１、人差し指６０２によって囲まれた空間に挿通させ、挿入口２１０へと挿入する。
【００３１】
図４に示すように挿入口２１０の内方には、電極２６１およびストッパ２７０が設けられている。電極２６１は、上述したセンサ片５００の電極と導通する部分であり、ｙ方向に延びる軸周りに回動可能とされている。センサ片５００は、図４に示す状態において左端が下方に押し付けられるように弾性力が付与されている。電極２６１は、本発明でいう抵抗付与手段の一例に相当する。ストッパ２７０は、電極２６１に対してさらにｘ方向内方にあり、センサ片５００の測定位置を規定するためのものである。
【００３２】
センサ片５００をさらにｘ方向内方に挿入させると、図５に示すようにセンサ片５００の右端が電極２６１に接触する。この位置よりもｘ方向内方にセンサ片５００を挿入しようとすると、センサ片５００によって電極２６１を持ち上げる格好となる。この持ち上げに対する反力として、センサ片５００には、電極２６１によって抵抗力が付与される。この状態のセンサ片５００の位置が、本発明でいう抵抗付与位置である。
【００３３】
この抵抗力に抗しながらセンサ片５００をさらに挿入すると、図６に示すようにセンサ片５００の右端がストッパ２７０に突き当たる。このため、センサ片５００をこれ以上挿入させることは不可となる。分析装置１０１は、この位置を検出したことを、ブザーや音声を発することにより、使用者に知らせることができる。この状態のセンサ片５００の位置が、本発明でいう測定位置である。測定位置にあるセンサ片５００の左端の位置と突起２２０の左端とのｘ方向における距離ｄ１は、上述した抵抗付与位置と測定位置との距離ｄ２よりも小である。距離ｄ１は、０であることが好ましい。
【００３４】
こののちは、センサ片５００への血液の点着をはじめ所定の操作を行うことにより、血糖値の測定を行うことができる。
【００３５】
次に、分析装置１０１の作用について説明する。
【００３６】
本実施形態によれば、図２および図３に示すように使用者の親指６０１と人差し指６０２とによって１対の突起２２０を挟むことにより、挿入口２１０は、親指６０１および人差し指６０２と１対の突起２２０とに囲まれた空間のｘ方向内方に自然と位置する。これにより、挿入口２１０をことさらに視認しなくとも、手探りで挿入口２１０にセンサ片５００を挿入することが可能である。したがって、視覚に頼ることなく適切に測定を行うことができる。
【００３７】
突起２２０に隆起部２２１が形成されていることにより、分析装置１０１のｚ方向における向きを触覚によって容易に認識することができる。また、隆起部２２１に対してｘ方向内方側から親指６０１を添えることにより、挿入口２１０がｘ方向においてどの辺りに存在しているかの見当をつけることができる。ガイド面２３１が設けられていることにより、挿入口２１０の手前においてセンサ片５００をｘ方向上側から下側に移動させると、センサ片５００がガイド面２３１に当接する。この状態からセンサ片５００をｘ方向内方に向けて押し込むと、挿入口２１０に適切に挿入することができる。突起２２０を比較的やわらかい材質によって形成すれば、手６００による保持がしやすい。
【００３８】
図５に示すように、センサ片５００を挿入すると、抵抗付与位置において抵抗力を受ける。弱視の使用者がこの手ごたえを感じたことをもってセンサ片５００が測定位置に到達したと思い込んでしまうと適切な測定ができない。本実施形態においては、図６に示すように距離ｄ１が距離ｄ２よりも小とされている。これにより、抵抗付与位置においては、センサ片５００が突起２２０から大きく突出した状態となる。使用者は、この突出を手探りで認識することにより、センサ片５００がいまだ測定位置に到達していないことを即座に把握することが可能であり、センサ片５００の挿入不足を回避することができる。このような効果を確実に奏するためには、距離ｄ１は、０であることが好ましい。
【００３９】
図７〜図１６は、本発明の他の実施形態を示している。なお、これらの図において、上記実施形態と同一または類似の要素には、上記実施形態と同一の符号を付している。
【００４０】
図７〜図９は、本発明の第２実施形態に基づく分析装置を示している。本実施形態の分析装置１０２は、抵抗付与手段として検出レバー２６２を備えている。検出レバー２６２は、センサ片５００の挿入を検出するためのものであり、図示しないセンサに連結されている。検出レバー２６２は、ｚ方向に延びる軸周りに回動可能であり、図７に示す状態で、左端が図中下方に押し付けられるような弾性力が付与されている。
【００４１】
図８に示すように、センサ片５００を挿入すると、センサ片５００の右端が検出レバー２６２に当接する。これにより、検出レバー２６２はセンサ片５００によって回動される格好となる。このとき、センサ片５００には、ｘ方向外方向きの抵抗力が検出レバーから付与される。本図に示す状態が、分析装置１０２における抵抗付与位置である。
【００４２】
図９は、分析装置１０２における測定位置を示している。本実施形態においても、距離ｄ１は、距離ｄ２よりも小とされている。このような実施形態によっても、センサ片５００の挿入不足を回避することができる。なお、抵抗付与手段として、電極２６１および検出レバー２６２の両方を備える構成であってもよい。
【００４３】
図１０は、本発明の第３実施形態に基づく分析装置を示している。本実施形態の分析装置１０３は、２対の傾斜面２３２を備える点が上述した実施形態と異なっている。２対の傾斜面２３２は、挿入口２１０を囲んでいる。一方の対の傾斜面２３２は、挿入口２１０を挟んでｚ方向において離間配置されており、他方の対の傾斜面２３２は、挿入口２１０を挟んでｙ方向において離間配置されている。各対の傾斜面２３２は、挿入口２１０からｘ方向外方に向かうほど互いの距離が大となる傾斜とされている。
【００４４】
本実施形態によれば、挿入口２１０に対してｙ方向またはｚ方向においてずれた位置にセンサ片５００が挿入されてきても、２対の傾斜面２３２によってセンサ片５００を挿入口２１０へとスムーズに導くことができる。
【００４５】
図１１は、本発明の第４実施形態に基づく分析装置を示している。本実施形態の分析装置１０４は、１対の突起２２０に傾斜した内側面２２２が設けられている点が、上述した実施形態と異なっている。各内側面２２２は、突起２２０のうち挿入口２１０側にある面である。分析装置１０４は、挿入口２１０を挟んでｙ方向に離間配置された１対の内側面２２２を有していることになる。１対の内側面２２２は、ｘ方向において挿入口２１０から外方に向かうほど互いの距離が大となるように傾斜している。このような実施形態によれば、センサ片５００を挿入するときに、１対の内側面２２２がセンサ片５００をセンタリングする機能を発揮する。したがって、センサ片５００の挿入をより容易に行うことができる。
【００４６】
図１２および図１３は、本発明の第５実施形態に基づく分析装置を示している。本実施形態の分析装置１０３は、本体２００とアタッチメント３００とを備える点が上述した実施形態と異なっている。図１２に示すように、本体２００には、本発明でいう突起は形成されていない。この本体２００のみであっても、弱視である使用者の使い勝手を除けば、一通りの測定作業を行うことができる。アタッチメント３００は、本体１００に取り付け可能とされており、１対の突起３２０が形成されている。１対の突起３２０は、上述した突起２２０と同様のサイズであり、隆起部２２１と同様の隆起部３２１が形成されている。
【００４７】
図１３に示すように、アタッチメント３００を本体２００に取り付けると、１対の突起３２０が挿入口２１０を挟んでｙ方向において離間配置される位置関係となる。挿入口２１０と１対の突起３２０との位置関係は、上述した実施形態における挿入口２１０と１対の突起２２０との位置関係と同様である。
【００４８】
このような実施形態によっても、視覚に頼ることなくセンサ片５００を分析装置１０４に適切に装填することができる。また、１対の突起３２０の大きさや、離間距離が異なる複数のアタッチメント３００を用意することにより、使用者の指の大きさに適した分析装置１０４を構成することができる。
【００４９】
図１４は、本発明の第６実施形態に基づく分析装置を示している。本実施形態の分析装置１０５は、アタッチメント３００の構成が、上述した分析装置１０４と異なっている。本実施形態においては、アタッチメント３００は、スライド機構３３０を備えている。スライド機構３３０は、１対の突起３２０どうしの距離を自在に変更するためのものであり、ピニオン３３１および１対のラック３３２からなる。各ラック３３２は、各突起３２０に連結されており、ｙ方向に延びている。ピニオン３３１は、１対のラック３３２に挟まれており、それぞれと螺合している。
【００５０】
本実施形態によれば、使用者の指の大きさに応じて、１対の突起３２０どうしの距離を適切に調節することができる。スライド機構３３０としてピニオン３３１および１対のラック３３２を備えることにより、１対の突起３２０は、本体２００のｙ方向中央を挟んでｙ方向において対称に移動する。これにより、挿入口２１０を１対の突起３２０のちょうど真ん中に常に位置させることができる。これは、使用者がセンサ片５００を挿入口２１０に挿入しやすいという利点がある。
【００５１】
図１５および図１６は、本発明の第７実施形態に基づく分析装置を示している。本実施形態の分析装置１０７は、本体２００および音声ガイド付きアタッチメント４００を備える点が上述した実施形態と異なっている。
【００５２】
音声ガイド付きアタッチメント４００は、本体２００に取り付け可能であり、図１５に示すように１対の突起４２０、スピーカ４３０、および端子４４０を有している。１対の突起４２０は上述した分析装置１０４の１対の突起３２０と同様であり、隆起部４２１が形成されている。端子４４０は、本体２００とのインターフェースとなる部位であり、本体２００の端子（図示略）と接触する。スピーカ４３０は、音声ガイドを発する部位である。音声ガイド付きアタッチメント４００には、図示しない制御部、記憶部、電源部などが設けられている。本体２００の状態を示す信号が端子４４０を介して音声ガイド付きアタッチメント４００に入力されると、上記制御部の制御により、本体２００の状態に応じた音声がスピーカ４３０から発せられる。
【００５３】
このような実施形態によっても、視覚に頼ることなく測定操作を適切に行うことができる。
【００５４】
図１７は、本発明の第８実施形態に基づく分析装置を示している。本実施形態の分析装置１０８は、挿入口２１０の周囲部分に識別用の彩色が施されている点を除き、上述した分析装置１０１と同様の構成とされている。
【００５５】
分析装置１０８においては、挿入口２１０の周囲に位置するガイド面２３１や、挿入口２１０の図中上側に隣接する領域に、彩色が施されている。たとえば、分析装置１０８の全体が白色とされている場合、上記彩色には、赤色などの白色に対して目立つ色が採用される。このような実施形態によれば、弱視である使用者であっても、挿入口２１０の位置を判別しやすいという利点がある。このような効果を奏するには、分析装置１０８全体に施された色と、上述した部分的な彩色に用いられる色とを、たとえば互いに補色の関係である色などとすることが好ましい。また、このような彩色は、分析装置１０２〜１０７に適宜適用できる。
【００５６】
本発明に係る分析装置は、上述した実施形態に限定されるものではない。本発明に係る分析装置の各部の具体的な構成は、種々に設計変更自在である。
【００５７】
本発明に係る分析装置は、いわゆる作用極および対極を備えるバイオセンサに限らず、比色により体液の分析を行なうように構成されたバイオセンサにも適用することができる。
【符号の説明】
【００５８】
１０１〜１０８  分析装置
２００    本体
２１０    挿入口（センサ片用開口）
２２０    突起
２２１    隆起部
２２２    内側面
２３１    ガイド面
２３２    傾斜面
２４０    表示部
２５０    電源ボタン
２６１    電極（抵抗付与手段）
２６２    検出レバー（抵抗付与手段）
２７０    ストッパ
３００    アタッチメント
３２０    突起
３２１    隆起部
３３０    スライド機構
３３１    ピニオン
３３２    ラック
４００    音声ガイド付きアタッチメント
４２０    突起
４２１    隆起部
４３０    スピーカ
４４０    端子
５００    センサ片
６００    手
６０１    親指
６０２    人差し指
【図１】
2012177677.tif 000003
【図２】
2012177677.tif 000004
【図３】
2012177677.tif 000005
【図４】
2012177677.tif 000006
【図５】
2012177677.tif 000007
【図６】
2012177677.tif 000008
【図７】
2012177677.tif 000009
【図８】
2012177677.tif 000010
【図９】
2012177677.tif 000011
【図１０】
2012177677.tif 000012
【図１１】
2012177677.tif 000013
【図１２】
2012177677.tif 000014
【図１３】
2012177677.tif 000015
【図１４】
2012177677.tif 000016
【図１５】
2012177677.tif 000017
【図１６】
2012177677.tif 000018
【図１７】
2012177677.tif 000019
【図１８】
2012177677.tif 000020